(57)【要約】【課題】毛皮を使用した敷布や枕、座布団等といった敷物に関し、特にこれまでの毛皮製の敷物には見られなかった新たな機能として、人が直接触れることとなる獣毛の部分からマイナスイオンを絶えまなく発生させるようにし、人体に有効とされているマイナスイオン効果が安定して得られるようにした、新規な構成からなる敷物する。【解決手段】一連の毛皮加工処理を終えた毛皮素地の獣毛部１１か、その段階以降の毛皮半製品または毛皮製品となってしまっている毛皮１部分の獣毛部１１に、マイナスイオンを生成可能な天然鉱石微粉末２，２，……として粒径０．０１μないし０．７μに規制した少なくとも電機石微粉末２１，２１，……の適量と、水溶性バインダーの適量とからなる混合液を直接塗布、乾燥してなるものとしたことを特徴とする敷物。【選択図】    図２
2004263337.tif 000002
【特許請求の範囲】
【請求項１】
一連の毛皮加工処理を終えて裁断、縫製等の製品化加工処理を控えた毛皮素地の獣毛部か、その段階以降の毛皮半製品または毛皮製品となってしまっている毛皮部分の獣毛部に、マイナスイオンを生成可能な天然鉱石微粉末として粒径０．０１μないし０．７μに規制した少なくとも電機石微粉末の適量と、水溶性バインダーの適量とからなる混合液を直接塗布、乾燥してなるものとしたことを特徴とする敷物。
【請求項２】
一連の毛皮加工処理を終えて裁断、縫製等の製品化加工処理を控えた毛皮素地の獣毛部か、その段階以降の毛皮半製品または毛皮製品となってしまっている毛皮部分の獣毛部に、マイナスイオンを生成可能な天然鉱石微粉末として粒径０．０１μないし０．７μに規制した少なくとも電機石微粉末の適量と、水溶性バインダーの適量とからなる混合液を直接塗布、乾燥したものとし、獣毛部からマイナスイオンを発生するようにしたことを特徴とする敷物。
【請求項３】
一連の毛皮加工処理を終えて裁断、縫製等の製品化加工処理を控えた毛皮素地の獣毛部か、その段階以降の毛皮半製品または毛皮製品となってしまっている毛皮部分の獣毛部に、マイナスイオンを生成可能な天然鉱石微粉末として粒径０．０１μないし０．７μに規制した少なくとも電機石微粉末の適量と、獣毛部の毛径に応じて選択された範囲の粒径である水溶性バインダーの適量とからなる混合液を直接塗布、乾燥してなるものとしたことを特徴とする敷物。
【請求項４】
一連の毛皮加工処理を終えて裁断、縫製等の製品化加工処理を控えた羊類の毛皮素地の獣毛部か、その段階以降の毛皮半製品または毛皮製品となってしまっている羊類の毛皮部分の獣毛部を、６０ないし８０℃に加温してスケールを開かせた上、マイナスイオンを生成可能な天然鉱石微粉末として粒径０．０１μないし０．７μに規制した少なくとも電機石微粉末の適量と、水溶性バインダーの適量とからなる混合液を直接塗布、乾燥し、自然放熱してなるものとしたことを特徴とする敷物。
【請求項５】
一連の毛皮加工処理を終えて裁断、縫製等の製品化加工処理を控えた毛皮素地の獣毛部に、マイナスイオンを生成可能な天然鉱石微粉末として粒径０．０１μないし０．７μに規制した少なくとも電機石微粉末の適量と、獣毛部の毛径に応じて選択された範囲の粒径である水溶性バインダーの適量とからなる混合液を直接塗布、乾燥した毛皮の獣毛部を外側にして形成した袋状外装体の中に、粒径０．０１μないし０．７μに規制した電機石微粉末以外のマイナスイオンを生成可能な天然鉱石微粉末を付着させた中綿または中芯を装填してなるものとしたことを特徴とする敷物。
【請求項６】
マイナスイオンを生成可能な天然鉱石微粉末が、電機石微粉末１に対して希土類溶岩微粉末１の割合で均質に混合した混合微粉末としてなる、請求項１ないし５何れか記載の敷物。
【請求項７】
溶性バインダーは、その粒径が、獣毛部の毛径に対して１／１０００ないし１／１００００を目安とする範囲のものに規制されてなるものとした、請求項１ないし６何れか記載の敷物。
【請求項８】
混合液は、マイナスイオンを生成可能な天然鉱石微粉末に対し、水溶性バインダーが０．１ｗｔ％程度を加えてなるものとした、請求項１ないし７何れか記載の敷物。
【発明の詳細な説明】
【０００１】
【発明の目的】
この発明は、高級天然素材である毛皮製の敷物、例えば羊毛、ベビーラム、アストラカン、ヌートリア等の毛皮を使用した敷布や枕、座布団、クッション、絨緞そのものの類いから、それら敷布や枕、座布団、クッション、絨緞の表層を覆う補助的なものとしての毛皮を使用したシートカバーや枕カバー、座布団カバー、クッションカバー、敷きマット等に関し、特にこれまでの毛皮製敷物には見られなかった新たな機能として、人が直接触れることとなる獣毛の部分からマイナスイオンを絶えまなく発生させるようにし、人体に良いとされているマイナスイオン効果が安定して得られるようにした、新規な構成からなる敷物を提供しようとするものである。
【０００２】
【従来の技術】
毛皮は、石灰漬けして脱毛工程を経た革製品とは異なり、ほ乳動物の毛（所謂、獣毛）が付いたままの皮であって、言わば獣の天然の衣服であるため、人間の衣服等身に付けたり、肌身が触れるものとしても略完全な構造と品質を備えていて、毛の繊維は熱を伝えず、これが密集して皮面を覆い尽しているために保温効果があって防寒率が高く、また、毛のタンパク質は化学的に安定で耐久性がある上、革部分は適度の通気性も備え、柔らかい肌触り、秀れた保湿性がある外、皺になり難く、型崩れしない等といった具合に、数々の秀れた特徴に恵まれている御陰で、人類の衣服の始まりと言われるとおり、原始狩猟時代の古きから使われてきており、今日のように様々な素材による新商品が登場する世になっても、毛皮への憧れは強く、他の素材にはない独特の美しさ、豪華さが沢山の人々を引き付けている。
【０００３】
こうして多くの人々を魅了して止まない毛皮も、長年に渡る乱獲が祟り、絶滅または絶滅の危機に瀕している種もあることから、狩猟に関する法律によって厳しく保護されるようになり、保護協会等では毛皮製衣服の着用を速やかに止めさせる姿勢を強めている程あり、そのため、今では飼育されたものから得られた毛皮で殆どを占める状態となっていて益々その稀少価値は高まってきているだけに、かってのような素材の有する秀れた特徴だけに依存した製品作りに止めることなく、少しでも付加価値を高めてそれらの特徴が一層引き出せるようにした取扱いが望まれていると言える。
【０００４】
そのような期待に応えるものの一つに、天然の獣毛に覆われた動物から加工処理して得た毛皮に電気石を付着させ、電気石の有する科学的特質を付与することにより、毛皮固有の美しさと豪華さと満喫するだけではなく、身の回りに配する中に自然に健康増進にも役立つようにしようとする提案が、例えば、特開２０００−１７３００公報に掲載された「負イオン発生機能付毛皮およびその製造方法」発明等に散見されない訳ではないが、この発明に代表されるもののように、従前からのものでは、全てが毛皮の裏面、即ち獣毛が密集する真皮（銀面）のない側で、粗い繊維質からなる床革と呼ばれている部分に電気石を塗布するようにしたものばかりであった。
【０００５】
しかし、この技術的手段によるものでは、付着させることが容易な床革面に鉱石である電気石が存在してしまうものであって、人が触れるか、人に相対することになる毛皮の獣毛部側には一切付着させていないために、敷物等の製品にしてしまうと、電気石が放出する折角のマイナスイオンは、プラスに帯電する毛皮の獣毛部内に吸着、飽和されてしまうためか、実質殆ど使用側に発生しないか、してもマイナスイオンによる有用な効果を期待できる程のものではないことが判明した。
【０００６】
そこで、この発明では、上記したような実情に鑑み、毛皮の本来有する特徴に加え、人体への有効性が確認済みとなっている電気石等ある種の天然鉱石の科学的特性を、この毛皮に効率的に付与することはできないものかと、長年毛皮を取り扱ってきた経験を活かすべく、逸早く開発、研究に取り組み、様々に試行錯誤を重ねて幾多の試作実験を繰り返してきた結果、遂に茲にきてその実現化に成功したものであり、以下においては、その成果の一部始終を詳細に説示していくことにする。
【０００７】
この発明は、基本的に次のとおりの構成を要旨とする敷物であるということができる。
即ち、一連の毛皮加工処理を終えて裁断、縫製等の製品化加工処理を控えた毛皮素地の獣毛部か、その段階以降の毛皮半製品または毛皮製品となってしまっている毛皮部分の獣毛部に、マイナスイオンを生成可能な天然鉱石微粉末として粒径０．０１μないし０．７μに規制した少なくとも電機石微粉末の適量と、水溶性バインダーの適量とからなる混合液を直接塗布、乾燥してなるものとした敷物というのがそれである。
【０００８】
この基本的な構成の敷物は、記載表現を変えて示すならば、一連の毛皮加工処理を終えて裁断、縫製等の製品化加工処理を控えた毛皮素地の獣毛部か、その段階以降の毛皮半製品または毛皮製品となってしまっている毛皮部分の獣毛部に、マイナスイオンを生成可能な天然鉱石微粉末として粒径０．０１μないし０．７μに規制した少なくとも電機石微粉末の適量と、水溶性バインダーの適量とからなる混合液を直接塗布、乾燥したものとし、獣毛部からマイナスイオンを発生するようにした構成からなる敷物であるとすることができる。
【０００９】
そして、それらをより具体的なものとして示せば、一連の毛皮加工処理を終えて裁断、縫製等の製品化加工処理を控えた毛皮素地の獣毛部か、その段階以降の毛皮半製品または毛皮製品となってしまっている毛皮部分の獣毛部に、マイナスイオンを生成可能な天然鉱石微粉末として粒径０．０１μないし０．７μに規制した少なくとも電機石微粉末の適量と、獣毛部の毛径に応じて選択された範囲の粒径である水溶性バインダーの適量とからなる混合液を直接塗布、乾燥した構成の敷物ということかできる。
【００１０】
上記したとおりの構成からなるこの発明の敷物には、次のような敷物も包含されている。
即ち、一連の毛皮加工処理を終えて裁断、縫製等の製品化加工処理を控えた羊類の毛皮素地の獣毛部か、その段階以降の毛皮半製品または毛皮製品となってしまっている羊類の毛皮部分の獣毛部を、６０ないし８０℃に加温してスケールを開かせた上、マイナスイオンを生成可能な天然鉱石微粉末として粒径０．０１μないし０．７μに規制した少なくとも電機石微粉末の適量と、水溶性バインダーの適量とからなる混合液を直接塗布、乾燥し、自然放熱してなるものとした敷物である。
【００１１】
更に、一連の毛皮加工処理を終えて裁断、縫製等の製品化加工処理を控えた毛皮素地の獣毛部に、マイナスイオンを生成可能な天然鉱石微粉末として粒径０．０１μないし０．７μに規制した少なくとも電機石微粉末の適量と、獣毛部の毛径に応じて選択された範囲の粒径である水溶性バインダーの適量とからなる混合液を直接塗布、乾燥した毛皮の獣毛部を外側にして形成した袋状外装体の中に、粒径０．０１μないし０．７μに規制した電機石微粉末以外のマイナスイオンを生成可能な天然鉱石微粉末を付着させた中綿または中芯を装填した構成からなる敷物も包含されている。
【００１２】
毛皮は、一般商取引き上では、オーストラリアや一部のニュージーランドで飼育されるメリノ種や、その改良種であるイギリス種、コリデール種、あるいは殆ど野生に近い中国、モンゴルの羊から取れる「羊毛」と、それ以外の兎科（アンゴラ兎やイエ兎等）や山羊科（アンゴラ山羊やカシミヤ山羊、アイベックス山羊、チャングラ山羊等）、らくだ、リャマ（ピキューナやアルパカ等）、アストラカン、ヌートリア等の「獣毛」とに大別されているが、ここでは、総じて毛皮と称することとし、したがって、「獣毛部」は、毛皮の真皮（銀面）から密集して生える、所謂「毛」の部分全体を指すものとして限定使用するものとなり、この獣毛部を除いた真皮から下の部分は「皮革部」と称することになる。
【００１３】
そして、この毛皮として処理の対象とするのは、鞣し工程と仕上げ工程（染色・加脂工程、伸ばし工程、乾燥工程、ステーキング工程、張革乾燥工程、……等）とを終え、その後、製品化のために裁断、縫製等の工程に移る直前の状態の毛皮素地か、該毛皮素地から裁断加工された、所謂半製品化されたもの、または裁断、縫製等の加工を終えて製品化されたもの（当然、商品としての最終仕上げを施したものは除かれる。）等であり、それらのどの形態のものでも差し支えはない。
【００１４】
天然鉱石微粉末は、密生する獣毛部の毛個々の表面に満遍なく塗着されることによって少なくともマイナスイオンを生成し、人が触れて直接マイナスイオンを摂取するか、人が相対する空間に放出して間接的にマイナスイオン効果を享受するという科学的特性を発揮するものとして機能を果たすものであり、代表的な電機石微粉末の外、化石サンゴ（擦るとマイナスに帯電し、その状態で空気中の水分に触れてマイナスイオンを発生する。）微粉末、放射性元素の酸化物である希土類（放射線が空気中の水分子に触れてプラスイオンとマイナスイオンとを同時に生成する。例えば、トリウム・ラドン・ｋ４０カリウム等）微粉末、さらに有機ゲルマニウム（マイナス電子が表面を回っており、空気中の水分子に触るとマイナスに帯電し易い。）微粉末等があり、それらの中の１種類を単独でか、数種類を混合あるいは併用して採用することができ、それらが前記したとおりの機能を達成可能とするために、何れもその粒径は０．０１μないし０．７μの範囲に規制したものとしなければならず、また、電機石微粉末にそれ以外の天然鉱石微粉末を併用する場合は、略等量ずつとなる割合で組み合わせ、できるだけ均質に混合してなるものとするのが、マイナスイオン生成効率上から、最も望ましいと言える。
【００１５】
また、上記天然鉱石微粉末は、既に本願出願人において出願済みの特願２００１−３３８７２１発明で開発済みとなっているような末磁性体を、やはり粒径は０．０１μないし０．７μの範囲に規制した微粉末として均質に混合したものとして採用し、後述する水溶性バインダーに混入して獣毛部の個々の毛に塗着、固定した上、同出願に開示してあるとおり、併用した末磁性体微粉末を後から磁化して天然鉱石微粉末の間に均質な配置のままの磁性体微粉末を混在させることにより、それら磁性体微粉末が作用して天然鉱石微粉末からのマイナスイオン発生メカニズムが励起されるようにする等、その他マイナスイオン発生効果を高めることに役立つ手段で、天然鉱石微粉末に直接混入したり、並置するようにするか、あるいは後述の水溶性バインダーに混入してなる天然鉱石微粉末ゾルに添加組み合わせるようにするかして併用することができる。
【００１６】
水溶性バインダーは、上記した天然鉱石微粉末を、獣毛部および皮革部の何れを少しも傷めることなく、その表面に満遍なく塗着、固定してしまうための溶媒として機能するものであり、例えばバイエル社製「ＢＡＹＰＬＥＴ  ＵＳＶ」その他を採用することができ、それら水溶性バインダーは、毛皮が羊毛であるとすると、その獣毛部の毛径は、通常１５μｍ程度の太さのものであり、一般に使用されている１μｍ以上の粒形のバインダーでは、直接塗布してしまうと密集状に生える毛が互いにくっついてしまうことから、１ｎ（ナノ）以上のサイズのバインダーを用いる必要があり、しかも、２０ｎ以上のバインダーでは、天然鉱石微粉末を付着させ得る濃度、例えば、乾燥処理後に触っても殆どベトつきを殆ど感じさせない０．１ｗｔ％程度したときにも、隣り合う獣毛部の毛までが同時に付着してしまうことが確認されていることから、１ｎないし２０ｎの範囲に限った粒径のバインダーを採用するようにしなければならない。
【００１７】
その他の毛径からなる獣毛部、例えばメリノ種の羊毛は、その毛径が平均１５〜２５μｍ程度の太さとされるが、生物の毛であることから当然に太い所や細い所があり、細ければ数μｍから最も太いと４５μｍ位までのものがあると言われており、それら対象となる獣毛部の毛径に応じ、毛径に対して１／１０００ないし１／１００００を目安とする範囲に規制した最適な粒径の水溶性バインダーを選択、使用する必要がある。
【００１８】
こうして夫々規制した性状の天然鉱石微粉末を、これまた規制した粒径の水溶性バインダーに対して略０．１ｗｔ％（獣毛部の毛の状態によって最適値が決まる。）程度となるような割合で混入、均質に撹拌して天然鉱石微粉末ゾル体となした上、前記した如くの毛皮素地か、半製品化されたもの、または製品化されたもの等の獣毛部の毛に塗着するようにする。
【００１９】
塗着手段は、手作業で天然鉱石微粉末ゾル体を塗布した後、ブラシで擦ることにより、獣毛部の毛個々の間に満遍なく行き渡るようにする外、例えば、ムートンや絨緞の水洗いに用いられているような構造の水洗清掃機器、即ち、液を入れるタンク、毛を起こすブラシ付きの吹き付け部が吸引部も兼ねている柄の部分、本体からできている一見タンク付きの掃除機を使い、そのタンクに天然鉱石微粉末ゾル体を満たし、ムートンや絨緞を水洗いする要領、あるいはその工程を自動化してラインで当該ゾル体を塗布するようにすれば実施可能となり、均質な塗着を終えた後には、天日干しや屋内・屋外での陰干しの外、乾燥室内で人工干しや温風（６０℃〜８０℃）で乾かす等の適宜手段によって乾燥する。
以下、代表的な実施例を取り上げ、この発明がより明確に把握できるようにすることとする。
【００２０】
【実施例】
この実施例は、袋状外装体に中綿または中芯等の心材を装填してなる厚手の敷物、例えば座布団や敷きマット、クッション等といった類いのものに採用可能な構造を有している敷物の事例であり、図１の要部拡大縦断面図に示すとおり、毛皮１の獣毛部１１に、０．０５μないし０．６μ程度に微細に粉砕した電気石微粉末８５ｗｔ％と純水１４．９ｗｔ％、それに粒径１０ｎ（ナノ）の水溶性バインダー（バイエル社製「ＢＡＹＰＬＥＴ  ＵＳＶ」）０．１ｗｔ％とを混合、撹拌して得た電気石ゾルを塗布し、湿度５０％以下に設定した乾燥室内に３６時間放置、乾燥して水溶性バインダーを固化した後、ブラシッグ処理仕上げすることにより、本来の毛皮のように毛１１ａ，１１ａ，……個々の間に空気を取り込んでフサフサした状態の獣毛部１１でありながら、毛１１ａ，１１ａ，……個々は、夫々その根元から先端に渡って満遍なく電気石微粉末２１，２１，……が固着した状態を実現している毛皮１を得る。
【００２１】
こうして電気石微粉末定着済みの多数の毛皮１，１，……を寄せ集め、順次縫製して繋いでいき、所定サイズのシート状にした上、同サイズの裏地３を、獣毛部１１とは反対側となる毛皮１皮革部１２の裏へ添設し、一部心材詰め口を残して周囲を縫合することにより、表に電気石微粉末２１，２１，……定着済みの獣毛部１１を配するようにした見た目にも豪華で美しい外観を呈した袋状外装体５を得る一方、羊毛１００％の中綿４には、予め、トリウム・ラドン・ｋ４０カリウム等、電気石以外の希土類微粉末２２，２２，……に適量の水溶性バインダーを混ぜ合わせた天然鉱石ゲルを吹き付けて乾燥させた、電気石以外の希土類微粉末２２，２２，……を満遍なく含むようにした心材４として当該袋状外装体５に詰め、心材詰め口をファスナー等で閉じて厚みのある敷物とする。
【００２２】
こうして形成されたこの発明の敷物と、従前からの鞣し加工、仕上げ加工の施されただけで、この発明のような処理の全く施されていないムートンを使い、上記した実施例における袋状外装体５と同じ構造の袋状外装体とし、その中へ羊毛１００％の中綿を心材として詰めてなる敷物とから、マイナスイオン数を測定したところ、その結果は次のとおりである。
2004263337.tif 000003
【００２３】
なお、心材４である中綿は、綿や羊毛等の天然素材に限らず、化学繊維でも同様の結果が得られることが確認されたことから、マイナスイオンを生成可能な天然鉱石微粉末を、袋状外装体５となる毛皮の獣毛部１１だけではなく、心材４にも付着した二層状に併用すると一層効果があるということが判明し、したがって、当然のことながら、マイナスイオンを生成可能な天然鉱石微粉末２，２，……を毛皮の獣毛部１１に付着した上に、それに添設状となって多層構造を形成可能とする心材４をはじめ、心材無しの単なる裏地、あるいは皮革部１２の裏面等にマイナスイオンを生成可能な天然鉱石微粉末２，２，……を付着し、相乗効果を上げるようにしたものも、この実施例のものが有する構成に含まれている。
【００２４】
【作用】
以上のとおりの構成からなるこの発明の敷物を、以下のような幾つかの実験例による結果を示し、この発明の作用を明らかにしていくことにする。
【実験例１】
ベビーラムのムートン３０ｃｍ角を３枚準備し、うち２枚に６５℃の熱を３０分の間に渡って乾燥機によって与えた後、一枚に電気石粉末によって得た電気石微粉末８５ｗｔ％と純水１４．９ｗｔ％、粒径１０ｎの水溶性バインダー（バイエル社製「ＢＡＹＰＬＥＴ  ＵＳＶ」）０．１ｗｔ％との混合液を適時撹拌して得た電気石ゾルを塗布し、一枚にｋ４０カリウム、希土類を含む天然鉱物・溶岩を用いて得た溶岩微粉末９５％と純水４．９５％、前述の水溶性バインダー０．０５％の混合液を適時撹拌して得た溶岩ゾルを塗布した上、屋内において２４時間自然乾燥させた後、以下の方法でマイナスイオン数の測定を行った。なお、実験日の気温は２２℃、湿度は５７％であった。
【００２５】
クリーンベンチ（株式会社ユヤマ製・ＹＳ−Ｂ−１１１）内において、アンデス電気社製の空気吸引式イオンカウンター・インティを用いて測定した。なお、クリーンベンチおよびインティからは夫々アースを取ると共に、本測定前に毎回クリーンベンチ内空間を測定し、その都度０設定を行ってから実験を開始するようにした。その測定内容は、次のとおりとする。
【００２６】
［試供体］
Ａ…加工無しのもの
Ｂ…電気石ゾル塗布のもの
Ｃ…溶岩ゾル塗布のもの
［測定方法］
１  静置状態で３分間の測定を５回。
２  摩擦による測定（羽を取った扇風機の首に竹製の５０ｃｍの棒を付けて首振り運転をさせ、表面部分に竹製の棒が触れさせて値を得る測定）を同じく３分間の測定を５回。
３  夫々平均値を出す。
【００２７】
2004263337.tif 000004
試供体Ａ（無加工のベビーラム）のムートンでも、摩擦することによって静電気が起き、マイナスイオンを発生させることが確認されたが、個数も少なく、且つ直ぐに消滅してしまうものであった。
【００２８】
また、試供体Ａ（無加工のベビーラム）ムートンと試供体Ｂ、Ｃ（加工したベビーラム）ムートンとを３０人のモニターの触感より、どれが加工したものなのかアンケートに取ったところ、以下のような回答を得られた。
2004263337.tif 000005
この結果から、この発明による毛皮は、使用感においても無加工のものと比較して何等の遜色なく使用できることが判る。
【００２９】
【実験例２】
表地に羊毛を用いて製造されているカーペット等の敷物も、上記したベビーラムムートンによる実験例１と同様の測定を行ったところ、以下の測定結果が示すとおりの測定結果が得られた。
2004263337.tif 000006
この結果から、加工処理を施したものは、やはり無加工のものよりも多くのマイナスイオンを発生することが確認された。
【００３０】
【効果】
上述したとおりの構成からなるこの発明の敷物は、従前までの毛皮による敷物で、その付加価値を高めようとの試みで電気石を組み合わせたものが、電気石粉末液は、その塗布が容易な皮革部の、それも裏側にだけで済まされていて、敷物として使用段階に、電気石粉末の塗着面が床等の上に当接してしまって殆ど静止状態のままに据え置かれてしまうため、それ自体が揺れ動くこともなければ、当接した床面との間で摩擦力を期待することもできない状態になってしまっていることから、振動を受けてマイナスイオンを発生するとされる物質の電気石である以上、その科学的特質を殆どか全く発揮できないままのものに止まっていたのに対し、獣毛部の毛個々の間に、電気石に代表されるマイナスイオンを生成可能とする類いの天然鉱物微粉末を、規制された条件の下で塗着、固定させ、風や人の動き、人等の直接接触等によって極めて簡単に振動するようにして常にマイナスイオンを生成する条件を整えた上、しかも生活空間に直接触れている側に面するようにして、人体に有益なマイナスイオンが確実に敷物使用箇所の空間に大量に送り出し続けれられるものとしたことから、当該敷物の周りに居る人々は、何時でも森林等の自然界に似た環境に浴することができ、人間の生活環境を大幅に改善して豊かな暮らしを送れるようにするという秀れた特徴を発揮するものとなる。
【００３１】
特に、実施例に取り上げたもののように、マイナスイオンを生成可能な天然鉱物微粉末を毛皮１の獣毛部１１に塗着して人体側に確実且つ有効に作用させるだけに止まらず、心材となる中綿や中芯にも、獣毛部１１のものとは異なるマイナスイオン発生メカニズムを有する天然鉱物微粉末を、獣毛部１１への塗着方法と略同様にして付着させたものとして層状配置となし、両者の相乗効果によってより一層のマイナスイオン生成効率を高めることになって、敷物の中でも座布団や敷き布団、掛け敷き布団、クッション等、比較的人の生活では長時間に渡って接するものにとって最適な構造のものになるという利点がある。
【００３２】
叙述の如く、この発明の敷物は、その新規な構成によって所期の目的を普く達成可能とするものであり、その製造も煩雑ではなく、比較的容易に実施可能であって、毛皮本来の価値からすれば僅かな負担に過ぎず、したがって、殆ど従前までのものと変らない価格帯を維持したまま、それでなくても贅沢な素材であると衆目が認める毛皮の価値が、常にマイナスイオンが生成されて人体の生理活性作用にも繋がる有用なものになって人々の健康増進寄与することから、単に贅沢で豪華であるという今までの概念を覆して必需品の一つして高い評価がなされ、拡範に渡って採用、普及していくものになることが予測される。
【図面の簡単な説明】
図面は、この発明の敷物に係わる代表的な具体例を示したものである。
【図１】この発明の最も代表的な敷物の要部拡大縦断面図である。
【図２】実施例に取り上げた厚手の敷物の一例で、その要部縦断面図である。
【符号の説明】
１        毛    皮
１１      同  獣毛部
１１ａ    同  獣毛部の毛
１２      同  皮革部
２        マイナスイオンを生成可能な天然鉱物微粉末
２１      同  トルマリン微粉末
２２      同  稀土類微粉末
３        裏    地
４        心材（中綿または中芯）
５        袋状外装体
【図１】
2004263337.tif 000007
【図２】
2004263337.tif 000008